(57)【要約】【課題】紫外線ランプを備えた電気掃除機において、紫外線による不都合が発生することを防止することができる電気掃除機を提供することを課題とする。【解決手段】床用吸込具１の床面に対向する面に紫外線ランプ１２を備えた電気掃除機において、前記床用吸込具１の移動の有無を検出する移動検出手段１３を設け、床用吸込具１が停止していることを移動検出手段１３が検出した際、紫外線ランプ１２を点灯させないように制御する制御部１６を備える。【選択図】          図１
2005013526.tif 000002
【特許請求の範囲】
【請求項１】
床用吸込具の床面に対向する面に紫外線ランプを備えた電気掃除機において、前記床用吸込具の移動の有無を検出する移動検出手段を設け、床用吸込具が停止していることを移動検出手段が検出した際、紫外線ランプを点灯させないように制御する制御部を備えたことを特徴とする電気掃除機。
【請求項２】
前記移動検出手段は、床用吸込具に配設され、床用吸込具が移動することによる慣性力により作動する振動センサにより構成されていることを特徴とする請求項１記載の電気掃除機。
【請求項３】
前記移動検出手段は、床用吸込具の車輪の回転を検出する車輪回転検出手段により構成されていることを特徴とする請求項１記載の電気掃除機。
【請求項４】
床用吸込具の床面に対向する面に紫外線ランプを備えた電気掃除機において、前記床用吸込具の床面に対向する面の床面への接地の有無を検出する接地検出手段を設け、床用吸込具が床面に接地していないことを接地検出手段が検出した際、紫外線ランプを点灯させないように制御する制御部を備えたことを特徴とする電気掃除機。
【請求項５】
前記接地検出手段は、床用吸込具の床面に対向する面で且つ床用吸込具を床面に接地させた状態で紫外線ランプから照射される紫外線が入射しない位置に配設され、床用吸込具が床面から離れた時に床用吸込具周囲の光を検出する第１光センサにより構成されていることを特徴とする請求項４記載の電気掃除機。
【請求項６】
前記床用吸込具の床面より上方に露出する位置に、床用吸込具周囲の光を常時検出する第２光センサを設けると共に照明装置を設け、前記制御部は、第２光センサが床用吸込具周囲の光を検出できない時に照明装置を点灯させると共に、第１光センサが照明装置からの光を検出した場合に紫外線ランプを点灯させないことを特徴とする請求項５記載の電気掃除機。
【請求項７】
前記制御部は、第２光センサが照明装置の光を検出できない時には、紫外線ランプを点灯させないことを特徴とする請求項６記載の電気掃除機。
【請求項８】
前記接地検出手段は、床用吸込具の床面に対向する面に配設され、床用吸込具の床面への接地の有無により機械的にＯＮ・ＯＦＦ動作するスイッチ機構により構成されていることを特徴とする請求項４記載の電気掃除機。
【発明の詳細な説明】
【０００１】
【発明の属する技術分野】
本発明は、電気掃除機に関し、特に、紫外線ランプを有する電気掃除機に関する。
【０００２】
【従来の技術】
従来、車輪により移動自在なハウジングの下面に紫外線ランプを備え、紫外線ランプを点灯させてハウジングを移動させることにより、紫外線ランプから照射される紫外線によりハウジング下方の床面を殺菌する殺菌消毒装置が知られている（例えば、特許文献１参照）。
【０００３】
【特許文献１】
特開平６−６３１０８号公報（図１）
【０００４】
【発明が解決しようとする課題】
しかしながら、紫外線ランプを点灯させたまま、ハウジングの移動を長時間停止させると、同じ床面に長時間紫外線が照射されるため、長時間紫外線が照射された床面が紫外線により劣化するという欠点があった。
【０００５】
また、紫外線ランプを点灯させたまま、誤ってハウジングを床面から持ち上げてしまうと、使用者や周囲にいる人に紫外線を照射してしまうという欠点があった。
【０００６】
本発明は、このような課題を解決するためになされたものであり、紫外線ランプを備えた電気掃除機において、紫外線による不都合が発生することを防止することができる電気掃除機を提供することを課題とする。
【０００７】
【課題を解決するための手段】
上記課題を解決するための第１の手段は、床用吸込具の床面に対向する面に紫外線ランプを備えた電気掃除機において、前記床用吸込具の移動の有無を検出する移動検出手段を設け、床用吸込具が停止していることを移動検出手段が検出した際、紫外線ランプを点灯させないように制御する制御部を備えたことを特徴とする。
【０００８】
上記課題を解決するための第１の手段において、前記移動検出手段は、床用吸込具に配設され、床用吸込具が移動することによる慣性力により作動する振動センサにより構成してもよい。
【０００９】
上記課題を解決するための第１の手段において、前記移動検出手段は、床用吸込具の車輪の回転を検出する車輪回転検出手段により構成してもよい。
【００１０】
上記課題を解決するための第２の手段は、床用吸込具の床面に対向する面に紫外線ランプを備えた電気掃除機において、前記床用吸込具の床面に対向する面の床面への接地の有無を検出する接地検出手段を設け、床用吸込具が床面に接地していないことを接地検出手段が検出した際、紫外線ランプを点灯させないように制御する制御部を備えたことを特徴とする。
【００１１】
上記課題を解決するための第２の手段において、前記接地検出手段は、床用吸込具の床面に対向する面で且つ床用吸込具を床面に接地させた状態で紫外線ランプから照射される紫外線が入射しない位置に配設され、床用吸込具が床面から離れた時に床用吸込具周囲の光を検出する第１光センサにより構成してもよい。
【００１２】
上記課題を解決するための第２の手段において、前記床用吸込具の床面より上方に露出する位置に、床用吸込具周囲の光を常時検出する第２光センサを設けると共に照明装置を設け、前記制御部は、第２光センサが床用吸込具周囲の光を検出できない時に照明装置を点灯させると共に、第１光センサが照明装置からの光を検出した場合に紫外線ランプを点灯させないことが好ましい。
【００１３】
上記課題を解決するための第２の手段において、前記制御部は、第２光センサが照明装置の光を検出できない時には、紫外線ランプを点灯させないことが好ましい。
【００１４】
上記課題を解決するための第２の手段において、前記接地検出手段は、床用吸込具の床面に対向する面に配設され、床用吸込具の床面への接地の有無により機械的にＯＮ・ＯＦＦ動作するスイッチ機構により構成してもよい。
【００１５】
【発明の実施の形態】
（第１実施形態）
本発明に係る電気掃除機の第１実施形態を図１乃至図５に基づいて説明する。
【００１６】
第１実施形態の電気掃除機の床用吸込具１は、上ケース２ａと下ケース２ｂからなって吸込口３が下方に形成された横長の吸込具ケース２と、吸込具ケース２の吸込口３に臨ませて吸込具ケース２に回転自在に支持された回転ブラシ４と、吸込具ケース２の前壁を構成すると共に吸込口３の前側部分（図１の左側）を開閉するカバー５と、吸込具ケース２の後面側に上下自在に且つ回転自在に取付けられ、吸込口３に連通するベンド６とから構成されている（図１、図２参照）。そして、ベンド６が図示しない延長管やホースを介して掃除機本体７に接続されるようになっている。
【００１７】
回転ブラシ４は、その芯体４ａの外周面に複数本の帯状のブラシ体４ｂが芯体４ａの軸方向に螺旋状に装着されている（図１参照）。また、回転ブラシ４は、吸込具ケース２に内蔵された図示しない電動モータにより、その駆動力が伝動ベルト等を介して伝達されて回転駆動する。この回転ブラシ４が回転することで床面のごみが掻き取られ、吸込口３から効果的に吸込まれることにより効率よく掃除できる。
【００１８】
回転ブラシ４に近接してその前方部分を覆うように位置するカバー５は、その長手方向の両端側に図示しないアーム部が一体形成され、このアーム部によって吸込具ケース２の両端部内側に回動自在に軸支されている。また、カバー５には、吸込具ケース２前端が壁面に当たった時にカバー５を上方向に回動させ、吸込口３の前方部を開放させるように作動するローラ９が装着されている。ローラ９は、その両端部を図示しない軸受部にて回転自在に装着されている（図１参照）。
【００１９】
また、カバー５は、図示しないがその回動軸に、カバー５を下方へ回動する方向へ付勢する付勢手段としての捻りバネが装着された構成となっている。従って、吸込具ケース２が壁面に当たらない所の床面掃除の時には、カバー５は吸込口３の前方部分を閉鎖し、下方部分のみが開口している。また、カバー５が開く時は、吸込具ケース２の内側に収納される構成となるように、上ケース２ａにはカバー５を後端部から収納するための収納凹部１０が形成されている。
【００２０】
尚、ローラ９は、吸込具ケース２の前面側が障害物に当たった場合のショック吸収というバンパーの役目を果たすものでもあるので、外周面が柔らかくて滑りやすい当接部材として、繊維質部材である起毛布によって覆われて形成されたものが好ましい。これであれば、壁面や家具などの傷付きを確実に防止できるようになると共に、極めてスムーズにカバー５を回動させることができる。また、起毛布によりローラ９が壁面に当接した状態で横方向に掃除する場合の左右の動きもスムーズになるという点で有用となる。
【００２１】
下ケース２ａの下方には床用吸込具１を移動自在にする車輪１１が設けられている。また、下ケース２ａの床面に対向する面には床面を殺菌・除菌する紫外線ランプ１２が配設されている。また、吸込具ケース２内には床用吸込具１の移動による慣性力により作動する振動センサ１３が配設されている。
【００２２】
振動センサ１３は、筒状をしており吸込具ケース２の前後方向に向けて水平状態で配置されている。振動センサ１３内には、両端に接点１４と筒状内を移動自在な玉１５が配設されており、玉１５が接点１４に接するとＯＮとなり、玉１５が接点１４に接していない状態ではＯＦＦとなる。
【００２３】
この結果、掃除をしていない時等、床用吸込具１が移動していない時には、玉１５は筒状内を移動しないため、玉１５は接点１４に接しているか、または、接点１４に接していない状態が継続し、振動センサ１３はＯＮあるいはＯＦＦの状態が継続する（図１参照）。また、掃除をしている時等、床用吸込具１が移動している時には、その慣性力により玉１５は筒状内を前後に移動するため、振動センサ１３はＯＮ・ＯＦＦ状態を繰り返す（図２及び図３参照）。従って、振動センサ１３が検出するＯＮ・ＯＦＦ信号の変化の割合により、床用吸込具１の停止あるいは移動を検出することができる。
【００２４】
次に第１実施形態の制御回路について、図５に示すブロック図に基づいて説明する。
【００２５】
第１実施形態の電気掃除機の制御部はマイコン１６により構成され、振動センサ１３、紫外線ランプ１２や掃除機本体７のＯＮ・ＯＦＦ信号を入力するキー入力部１７が入力側に接続され、掃除機本体７、紫外線ランプ１２が出力側に接続されている。
【００２６】
第１実施形態の電気掃除機は、紫外線ランプ１２を備えているため床面を殺菌・除菌しながら床面を掃除することができる。しかしながら、紫外線ランプ１２を点灯させたまま掃除を中断する等して、吸込具ケース２を同じ床面に接地させた状態が長時間が続くと、同じ床面に長時間紫外線が照射されるため、長時間紫外線が照射された床面が紫外線により劣化してしまう虞がある。
【００２７】
これに対して、第１実施形態では、吸込具ケース２に配設された振動センサ１３により床用吸込具１の停止状態を検出するようにしている。以下図５のフローチャートに基づいて振動センサ１３の出力に基づくマイコン１６の制御について詳述する。
【００２８】
Ｓ１において電源を入れると、Ｓ２において紫外線ランプ１２を強制的に消灯させ、何らかの原因により紫外線ランプ１２が点灯していた場合の誤動作を防止する。Ｓ３においてキー入力部１７から紫外線ランプ１２への信号が入力されたか否かを判断し、Ｓ３において紫外線ランプ１２への信号が入力されていれば（Ｓ３のＹＥＳ）、Ｓ４において紫外線ランプ１２が点灯中であるか否かを判断する。
【００２９】
Ｓ４において紫外線ランプ１２が点灯していれば（Ｓ４のＹＥＳ）、誤動作により紫外線ランプ１２が点灯しているとマイコン１６は判断してＳ１１において紫外線ランプ１２を消灯してＳ３に戻る。Ｓ４において紫外線ランプ１２が点灯していなければ（Ｓ４のＮＯ）、Ｓ５においてタイマーの計測を開始する。Ｓ６において床用吸込具１が移動しているか否かを振動センサ１３の出力に基づいて判断し、Ｓ６において床用吸込具１が移動していれば（Ｓ６のＹＥＳ）、Ｓ７において紫外線ランプ１２を点灯させてＳ３に戻る。
【００３０】
Ｓ３においてキー入力部１７から紫外線ランプ１２への信号が新たに入力されたか否かを判断し、Ｓ３において新たに紫外線ランプ１２への信号が入力されていなければ（Ｓ３のＮＯ）、Ｓ８において紫外線ランプ１２が点灯中であるか否かを判断する。
【００３１】
Ｓ８において紫外線ランプ１２が点灯していなければ（Ｓ８のＮＯ）Ｓ３に戻る。また、Ｓ８において紫外線ランプ１２が点灯中であれば（Ｓ８のＹＥＳ）、Ｓ５においてタイマーの計測を開始する。
【００３２】
次にＳ６において床用吸込具１が移動しているか否かを判断し、Ｓ６において床用吸込具１が移動していなければ（Ｓ６のＮＯ）、Ｓ９においてタイマーの計測に１を加え、Ｓ１０においてタイマーの累積計測時間（Ｔ）が所定時間（Ａ）に達しているか否かを判断する。
【００３３】
Ｓ１０においてタイマーの累積計測時間（Ｔ）が所定時間（Ａ）に達していなければ、即ち、床用吸込具１が移動していない状態が所定時間（Ａ）未満の場合は（Ｓ１０のＹＥＳ）Ｓ６に戻る。Ｓ１０においてタイマーの累積計測時間（Ｔ）が所定時間（Ａ）に達していれば、即ち、床用吸込具１が移動していない状態が所定時間（Ａ）継続した場合は（Ｓ１０のＹＥＳ）、Ｓ１１において同じ床面に長時間紫外線が照射されることを防止するため紫外線ランプ１２を消灯する。
【００３４】
このようにして、紫外線ランプ１２点灯時に、吸込具ケース２が同じ床面に接地した状態が長時間続くことを防ぐことができ、床面が紫外線により劣化してしまうことを防止することができる。
【００３５】
尚、第１実施形態では、振動センサ１３により床用吸込具１の移動の有無を検出するようにしたが、床用吸込具１の移動の有無を検出する移動検出手段はこれに限定されるものではない。例えば、車輪１１にマグネットを配設すると共に、マグネットに対応する位置の下ケース２ａにリードスイッチを配設し、マグネットとリードスイッチにより車輪１１の回転を検出することによって、床用吸込具１の移動の有無を検出する等その他の移動検出手段により床用吸込具１の移動の有無を検出するようにしてもよい。
【００３６】
（第２実施形態）
図６乃至図９は第２実施形態を示している。尚、第１実施形態と同一部品は同一符号を付して説明を省略する。第２実施形態では、下ケース２ａの床面に対向する面に、床用吸込具１が床面から離れた時に床用吸込具１周囲の光を検出する第１光センサ１８を配設し、第１光センサ１８の出力に基づいて床用吸込具１の床面への接地の有無を検出するようになっている。
【００３７】
下ケース２ａの床面に対向する面で且つ床用吸込具１が床面に接地した状態で紫外線ランプ１２から照射される紫外線が入射しない位置に、床用吸込具１が床面から離れた位置に床用吸込具１周囲の光を検出する第１光センサ１８が配設されている。また、上ケース２ａには、床用吸込具１周囲の光を常時検出する第２光センサ１９と床用吸込具１周囲を照射する照明装置２０が配設されている。
【００３８】
次に第２実施形態の制御回路について、図８に示すブロック図に基づいて説明する。
【００３９】
第２実施形態の電気掃除機の制御部はマイコン２１により構成され、第１光センサ１８、第２光センサ１９、紫外線ランプ１２や掃除機本体７のＯＮ・ＯＦＦ信号を入力するキー入力部１７が入力側に接続され、掃除機本体７、紫外線ランプ１２、照明装置２０が出力側に接続されている。
【００４０】
第２実施形態の電気掃除機は、紫外線ランプ１２を備えているため床面を殺菌・除菌しながら床面を掃除することができる。しかしながら、図７に示すように誤って紫外線ランプ１２を点灯させたまま床用吸込具１が床面から浮き上がってしまうと、使用者や周囲にいる人に紫外線を照射してしまう虞がある。
【００４１】
これに対して、第２実施形態では、吸込具ケース２に配設された第１光センサ１８により床用吸込具１の床面への接地の有無を検出するようにしている。以下図９のフローチャートに基づいて第１光センサ１８の出力に基づくマイコン２１の制御について詳述する。
【００４２】
Ｓ２１において電源を入れると、Ｓ２２において紫外線ランプ１２を強制的に消灯させ、何らかの原因により紫外線ランプ１２が点灯していた場合の誤動作を防止する。Ｓ２３においてキー入力部１７から紫外線ランプ１２への信号が入力されたか否かを判断し、Ｓ２３において紫外線ランプ１２への信号が入力されていれば（Ｓ２３のＹＥＳ）、Ｓ２４において紫外線ランプ１２が点灯中であるか否かを判断する。
【００４３】
Ｓ２４において紫外線ランプ１２が点灯していれば（Ｓ２４のＹＥＳ）、誤動作により紫外線ランプ１２が点灯しているとマイコン２１は判断してＳ２５において紫外線ランプ１２を消灯させてＳ２３に戻る。Ｓ２４において紫外線ランプ１２が点灯していなければ（Ｓ２４のＮＯ）、Ｓ２６において第１光センサ１８により床用吸込具１周囲の照度を検出し、第１光センサ１８が検出する照度が予め定められた所定の照度（α）未満か否かを判断する。
【００４４】
Ｓ２６において第１光センサ１８が検出する照度が予め定められた所定の照度（α）未満でなければ、即ち、床用吸込具１は床面から浮き上がっており、第１光センサ１８が床用吸込具１周囲の光を検出した状態であれば（Ｓ２４のＮＯ）、使用者や周囲にいる人に紫外線を照射してしまう虞があるとマイコン２１は判断し、Ｓ２５において紫外線ランプ１２の消灯信号を発して、紫外線ランプ１２が点灯されていた場合には紫外線ランプ１２を消灯させてＳ２３の戻る。
【００４５】
Ｓ２６において第１光センサ１８が検出する照度が予め定められた所定の照度（α）未満であれば（Ｓ２６のＹＥＳ）、Ｓ２７において第２光センサ１９が検出する床用吸込具１周辺の照度が、予め定められた所定の照度（β）を超えているか否かを判断する。
【００４６】
Ｓ２７において第２光センサ１９が検出する床用吸込具１周辺の照度が、予め定められた所定の照度（β）を超えていれば（Ｓ２７のＹＥＳ）、床用吸込具１周辺は明るく、且つ、床用吸込具１は床面に接地しており、紫外線ランプ１２を点灯させても紫外線が人に照射される虞はないとマイコン２１は判断し、Ｓ２８において照明装置２０の消灯信号を発して照明装置２０が点灯していた場合には照明装置２０を消灯させると共に、Ｓ２９において紫外線ランプ１２を点灯させてＳ２３に戻る。
【００４７】
Ｓ２７において第２光センサ１９が検出する床用吸込具１周辺の照度が、予め定められた所定の照度（β）を超えていなければ（Ｓ２７のＮＯ）、ベッドの下等の掃除により床用吸込具１周囲が暗い状態であり、もし床用吸込具１が床面から浮き上がった場合でも、この状態を第１光センサ１８により検出できなくなる虞があるため、Ｓ３０において照明装置２０を点灯させて床用吸込具１周囲を明るくする。
【００４８】
次にＳ３１において第２光センサ１９の出力に基づいて実際に照明装置２０が点灯しているか否かを判断する。Ｓ３１において第２光センサ１９が検出する照度が所定照度（γ）未満であれば（Ｓ３１のＮＯ）、照明装置２０の故障等により照明装置２０が点灯していないと判断してＳ２５において紫外線ランプ１２を消灯させ、第１光センサ１８により床用吸込具１が床面から浮き上がった状態を検出できなくなる虞を解消してＳ２３に戻る。
【００４９】
Ｓ３１において第２光センサ１９が検出する照度が所定照度（γ）を超えていれば（Ｓ３１のＹＥＳ）、照明装置２０は正常に点灯していると判断して、Ｓ３２においてＳ２６と同様に第１光センサ１８により床用吸込具１周囲の照度を検出し、第１光センサ１８が検出する照度が予め定められた所定の照度（α）未満か否かを判断する。
【００５０】
Ｓ３２において第１光センサ１８が検出する照度が予め定められた所定の照度（α）未満でなければ、即ち、床用吸込具１が床面から浮き上がり、第１光センサ１８が照明装置２０の光を検出した状態であれば（Ｓ３２のＮＯ）、使用者や周囲にいる人に紫外線を照射してしまう虞があるとマイコン２１は判断し、Ｓ２５において紫外線ランプ１２を消灯させるてＳ２３の戻る。
【００５１】
Ｓ３２において第１光センサ１８が検出する照度が予め定められた所定の照度（α）未満であれば（Ｓ３２のＹＥＳ）、床用吸込具１は床面に接地しており、紫外線ランプ１２を点灯させても紫外線が人に照射される虞はないとマイコン２１は判断し、Ｓ２９において紫外線ランプ１２を点灯させてＳ２３に戻る。
【００５２】
Ｓ２３においてキー入力部１７から紫外線ランプ１２への信号が新たに入力されたか否かを判断し、Ｓ２３において新たに紫外線ランプ１２への信号が入力されていなければ（Ｓ２３のＮＯ）、Ｓ３３において紫外線ランプ１２が点灯中であるか否かを判断する。
【００５３】
Ｓ３３において紫外線ランプ１２が点灯していなければ（Ｓ３３のＮＯ）Ｓ３に戻る。また、Ｓ３３において紫外線ランプ１２が点灯中であれば（Ｓ３３のＹＥＳ）、Ｓ２６において第１光センサ１８により周囲の照度を検出し、第１光センサ１８が検出する照度が予め定められた所定の照度（α）未満か否かを判断する。
【００５４】
このようにして、紫外線ランプ１２点灯時に、床用吸込具１が床面から浮き上がった際に紫外線ランプ１２を消灯させることができ、誤って使用者や周囲の人に紫外線が照射されることを防止することができる。また、ベッドの下等の暗いところを掃除している場合でも、照明装置２０を点灯させることにより、誤って使用者や周囲の人に紫外線が照射されることを防止することができる。
【００５５】
尚、第２実施形態では、第１光センサ１８により床用吸込具１が床面に接地していることを検出するようにしたが、床用吸込具１が床面に接地していることを検出する接地検出手段はこれに限定されるものではない。例えば、可動部が下ケース２ａから下方に突出するスイッチを吸込具ケース２に配設し、床用吸込具１の床面への接地の有無により機械的にＯＮ・ＯＦＦ動作するスイッチにより床用吸込具１が床面に接地していることを検出する等その他の接地検出手段により床用吸込具１の床面への接地を検出するようにしてもよい。
【００５６】
また、第１実施形態と第２実施形態とを組み合わせ、床用吸込具１の移動の有無を検出する移動検出手段としての振動センサ１３と、床用吸込具１の床面に対向する面の床面への接地の有無を検出する接地検出手段としての第１光センサ１８を設け、床用吸込具１が停止していることを振動センサ１３が検出した時、または、床用吸込具１が床面に接地していないことを第１光センサ１８が検出した時、紫外線ランプ１２を点灯させないように制御する制御部を備えた構成にしてもよい。
【００５７】
【発明の効果】
本発明の請求項１の構成によれば、移動検出手段により床用吸込具が停止状態であることを検出することができ、同じ床面に長時間紫外線が照射されることによる床面の劣化を防止することができる等の効果を奏する。
【００５８】
本発明の請求項２の構成によれば、振動センサにより床用吸込具が停止状態であることを検出することができ、同じ床面に長時間紫外線が照射されることによる床面の劣化を防止することができる等の効果を奏する。
【００５９】
本発明の請求項３の構成によれば、車輪回転検出手段により床用吸込具が停止状態であることを検出することができ、同じ床面に長時間紫外線が照射されることによる床面の劣化を防止することができる等の効果を奏する。
【００６０】
本発明の請求項４の構成によれば、接地検出手段により床用吸込具が床面から離れていることを検出することができ、誤って使用者や周囲にいる人に紫外線が照射されることを防止することができる等の効果を奏する。
【００６１】
本発明の請求項５の構成によれば、光センサにより床用吸込具が床面に接地していることを検出することができ、誤って使用者や周囲にいる人に紫外線が照射されることを防止することができる等の効果を奏する。
【００６２】
本発明の請求項６の構成によれば、ベッドの下等暗いところを掃除している場合でも、光センサにより床用吸込具が床面に接地していることを検出することができ、誤って使用者や周囲にいる人に紫外線が照射されることを防止することができる等の効果を奏する。
【００６３】
本発明の請求項７の構成によれば、ベッドの下等暗いところを掃除している場合でも、誤って使用者や周囲にいる人に紫外線が照射されることを防止することができる等の効果を奏する。
【００６４】
本発明の請求項８の構成によれば、スイッチにより床用吸込具が床面に接地していることを検出することができ、誤って使用者や周囲にいる人に紫外線が照射されることを防止することができる等の効果を奏する。
【図面の簡単な説明】
【図１】本発明の電気掃除機の第１実施形態を示す床用吸込具の側断面図である。
【図２】同床用吸込具の側断面図で、床用吸込具が前方に移動している状態を示す。
【図３】同床用吸込具の側断面図で、床用吸込具が後方に移動している状態を示す。
【図４】同制御回路を示すブロック図である。
【図５】同制御を示すフローチャートである。
【図６】本発明の電気掃除機の第２実施形態を示す床用吸込具の側断面図で、床用吸込具が床面に接地している状態を示す。
【図７】同床用吸込具の側断面図で、床用吸込具が床面から浮き上がった状態を示す。
【図８】同制御回路を示すブロック図である。
【図９】同制御を示すフローチャートである。
【符号の説明】
１      床用吸込具
１２    紫外線ランプ
１３    振動センサ（移動検出手段）
１６    マイコン（制御部）
【図１】
2005013526.tif 000003
【図２】
2005013526.tif 000004
【図３】
2005013526.tif 000005
【図４】
2005013526.tif 000006
【図５】
2005013526.tif 000007
【図６】
2005013526.tif 000008
【図７】
2005013526.tif 000009
【図８】
2005013526.tif 000010
【図９】
2005013526.tif 000011